(57)【要約】【課題】  遊技盤に組み付けられた部品のハーネスが組付ラインで損傷することを防止するパチンコ機を提供すること。【解決手段】  開口部に特別図柄表示装置１０１が組み付けられた遊技盤１１１を反転させると、遊技盤１１１の裏面１１４の側において、特別図柄表示装置１０１から外側に延出したハーネス１０６が、特別図柄表示装置１０１のカバー部材１０８に設けられたリブ部材１１に当接するので、ハーネス１０６の移動が制限される。このとき、ハーネス１０６が真っ直ぐで曲がりにくい性質を利用して、その移動範囲を、遊技盤１１１の裏面１１４に対する垂直空間Ｅ内におさめる。【選択図】  図６
2005152425.tif 000002
【特許請求の範囲】
【請求項１】
表面から裏面にかけて貫通した開口部が設けられた遊技盤と、ハーネスが前記遊技盤の外方向に延出した部品と、前記部品に固定されることによって前記ハーネスを覆うカバー部材と、を有し、前記遊技盤の開口部に前記部品を組付けた際に、前記遊技盤の裏面側で前記カバー部材から前記ハーネスが延び出ているパチンコ機において、
前記ハーネスが当接する支点部材を前記カバー部材に設けたことにより、
前記遊技盤が反転したときの前記ハーネスの移動範囲を前記遊技盤の裏面に対する垂直空間内におさめたこと、を特徴とするパチンコ機。
【請求項２】
表面から裏面にかけて貫通した開口部が設けられた遊技盤と、
前記遊技盤に取付けられるとともに電気で作動する部品と、
前記部品に固定されるカバー部材と、
前記部品を電気で作動させるために前記部品に取り付けられた際に、前記カバー部材に少なくとも一部が覆われるとともに、前記カバー部材から前記遊技盤の外方向に略直線状に延出するハーネスと、
前記カバー部材に設けられることによって前記遊技盤の中心方向から前記ハーネスが当接する支点を有する支点部材と、を備え、
前記支点部材は、前記支点部材に当接して前記支点から前記遊技盤の外方向に延出している前記ハーネスの長さが、前記支点から前記遊技盤の一辺までの最短距離よりも長くなる位置で前記カバー部材に設けられること、を特徴とするパチンコ機。
【請求項３】
請求項１又は請求項２に記載するパチンコ機であって、
前記支点部材がリブ部材であること、を特徴とするパチンコ機。
【請求項４】
請求項１又は請求項２に記載するパチンコ機であって、
前記支点部材がボス部材であること、を特徴とするパチンコ機。
【発明の詳細な説明】
【技術分野】
【０００１】
本発明は、ハーネスが外側に延出する部品を遊技盤に組み付けたパチンコ機に関するものである。
【背景技術】
【０００２】
従来のパチンコ機では、下記特許文献１に記載されているように、組付作業時や保守点検時において、可変入賞球装置に設けられている所定の電気機器に接続された電気配線が邪魔になることがある。そこで、可変入賞球装置に設けられたリード線処理ボスやリード線処理カバーにより、所定の電気機器のリード線を可変入賞球装置の裏面側における所定箇所で保持し処理するようにしている。
【特許文献１】特開平５−６４６８５号公報（第５頁、第８図）
【発明の開示】
【発明が解決しようとする課題】
【０００３】
しかしながら、可変入賞球装置自体から延出しているリード線等、つまり、遊技盤に組み付けられた部品から延出するハーネスについては、依然として、組付作業時において邪魔になることがあった。
【０００４】
そこで、ここでは、可変入賞球装置ではなく、遊技盤に組み付けられた特別図柄表示装置から延出するハーネスに関し、図面に基づいて説明する。図９は、特別図柄表示装置の正面図である。図１０は、遊技盤の正面図である。図１１は、遊技盤の裏面図である。
【０００５】
図９に示すように、特別図柄表示装置１０１には、特別図柄の変動表示やその他の液晶演出表示を行う液晶表示装置１０２や、複数の装飾ランプ１０３，１０４，１０５などが設けられており、それらを動作させるための複数本のハーネス１０６が下側に延び出ている。この点、複数本のハーネス１０６（以下、単に「ハーネス１０６」という）は、それらの各先端が接続コネクタ１０７に固定されており、さらに、付図示の結束バンドや人手などにより、図９に示すように、一つにまとめられている。
【０００６】
一方、図１０や図１１に示すように、遊技盤１１１においては、表面１１２から裏面１１４にかけて貫通した開口部１１３が設けられている。そして、パチンコ機の組立ラインにおいては、先ず、遊技盤１１１の表面１１２を上にした状態で遊技盤１１１を置き、図９の特別図柄表示装置１０１のハーネス１０６を遊技盤１１１の開口部１１３に通した状態にしながら、図９の特別図柄表示装置１０１を遊技盤１１１の開口部１１３にねじ止めで組み付けている。
【０００７】
従って、図１２や図１３に示すように、特別図柄表示装置１０１が遊技盤１１１の開口部１１３に組み付けられた際には、特別図柄表示装置１０１のハーネス１０６は、遊技盤１１１の裏面１１４の側に位置する。このとき、図１３に示すように、特別図柄表示装置１０１のハーネス１０６は、特別図柄表示装置１０１に設けられたカバー部材１０８の下から外部に延び出している。
【０００８】
尚、図１０や図１１では、図９の特別図柄表示装置１０１が組み付けられる開口部１１３しか示していないが、上述した可変入賞球装置等の部品が組み付けられる開口部も貫通して設けられている。
【０００９】
次に、特別図柄表示装置１０１が組み付けられた遊技盤１１１に対して、特別図柄表示装置１０１以外の部品をも組み付けるために、特別図柄表示装置１０１が組み付けられた遊技盤１１１を、遊技盤１１１の表面１１２を上にした状態から下の状態にする。このとき、図１４や図１５に示すように、カバー部材１０８に最も近い遊技盤１１１の端面１１５を下にしながら遊技盤１１１を裏返すと、特別図柄表示装置１０１のハーネス１０６（及び接続コネクタ１０７）が遊技盤１１１からはみ出ることがある。
【００１０】
尚、このときの工程図を図１６に示す。
【００１１】
このように、特別図柄表示装置１０１のハーネス１０６（及び接続コネクタ１０７）が、遊技盤１１１からはみ出してしまうと、遊技盤１１１と組立ラインの機械の間などに挟まって、傷つくことがある。
【００１２】
もっとも、特別図柄表示装置１０１のハーネス１０６（及び接続コネクタ１０７）を遊技盤１１１からはみ出させないようにするには、特別図柄表示装置１０１のハーネス１０６を短くすることが考えられるが、特別図柄表示装置１０１のハーネス１０６は、配線距離の確保や配線作業の容易性等の観点から、その長さに余裕を持たせており、短くするにも限界があった。また、特別図柄表示装置１０１のハーネス１０６は、真っ直ぐで曲がりにくい性質を有しており、しかも、上述したように、付図示の結束バンドや人手などにより一つにまとめられていることから、遊技盤１１１からはみ出させないようにするために予め曲げておくには、ある程度の力作業が必要となり、また、作業数が増えることから、適切な対策とは言い難かった。
【００１３】
以上の点は、特別図柄表示装置１０１から延出しているハーネス１０６以外の、遊技盤に組み付けられた部品から延出するハーネスについても、同様である。
【００１４】
そこで、本発明は、上述した点を鑑みてなされたものであり、遊技盤に組み付けられた部品のハーネスが組付ラインで損傷することを防止するパチンコ機を提供することを課題とする。
【課題を解決するための手段】
【００１５】
この課題を解決するために成された請求項１に係る発明は、表面から裏面にかけて貫通した開口部が設けられた遊技盤と、ハーネスが前記遊技盤の外方向に延出した部品と、前記部品に固定されることによって前記ハーネスを覆うカバー部材と、を有し、前記遊技盤の開口部に前記部品を組付けた際に、前記遊技盤の裏面側で前記カバー部材から前記ハーネスが延び出ているパチンコ機において、前記ハーネスが当接する支点部材を前記カバー部材に設けたことにより、前記遊技盤が反転したときの前記ハーネスの移動範囲を前記遊技盤の裏面に対する垂直空間内におさめたこと、を特徴としている。
【００１６】
また、請求項２に係る発明は、パチンコ機であって、表面から裏面にかけて貫通した開口部が設けられた遊技盤と、前記遊技盤に取付けられるとともに電気で作動する部品と、前記部品に固定されるカバー部材と、前記部品を電気で作動させるために前記部品に取り付けられた際に、前記カバー部材に少なくとも一部が覆われるとともに、前記カバー部材から前記遊技盤の外方向に略直線状に延出するハーネスと、前記カバー部材に設けられることによって前記遊技盤の中心方向から前記ハーネスが当接する支点を有する支点部材と、を備え、前記支点部材は、前記支点部材に当接して前記支点から前記遊技盤の外方向に延出している前記ハーネスの長さが、前記支点から前記遊技盤の一辺までの最短距離よりも長くなる位置で前記カバー部材に設けられること、を特徴としている。
【００１７】
また、請求項３に係る発明は、請求項１又は請求項２に記載するパチンコ機であって、前記支点部材がリブ部材であること、を特徴としている。
【００１８】
また、請求項４に係る発明は、請求項１又は請求項２に記載するパチンコ機であって、前記支点部材がボス部材であること、を特徴としている。
【００１９】
このような特徴を有する本発明のパチンコ機では、開口部に部品が組み付けられた遊技盤を反転させると、遊技盤の裏面側において、部品のカバー部材から外側に延出したハーネスが部品のカバー部材に設けられた支点部材に当接するので、ハーネスの移動が制限される。このとき、ハーネスの真っ直ぐで曲がりにくい性質を利用して、その移動範囲を、遊技盤の裏面に対する垂直空間内におさめる。
【発明の効果】
【００２０】
すなわち、本発明のパチンコ機では、開口部に部品が組み付けられた遊技盤を反転させても、遊技盤の裏面側において、部品から外側に延出したハーネスが部品のカバー部材に設けられた支点部材に当接することによって、その移動範囲が遊技盤の裏面に対する垂直空間内におさめられ、遊技盤からハーネスがはみ出ることはないので、遊技盤に組み付けられた部品のハーネスが組付ラインで損傷することを防止することができる。
【発明を実施するための最良の形態】
【００２１】
以下、本発明の実施の形態を図面を参照にして説明する。本実施の形態は、「発明が解決しようとする課題」の欄で説明したパチンコ機の特別図柄表示装置１０１のカバー部材１０８を改良したものであるので、「発明が解決しようとする課題」の欄で説明したパチンコ機と同一の構成については、同一の符号を付する。
【００２２】
本実施の形態では、遊技盤１１１に組み付けられた特別図柄表示装置１０１から延出するハーネス１０６に関し、図面に基づいて説明する。図９は、特別図柄表示装置の正面図である。図１０は、遊技盤の正面図である。図１１は、遊技盤の裏面図である。
【００２３】
図９に示すように、特別図柄表示装置１０１には、特別図柄の変動表示やその他の液晶演出表示を行う液晶表示装置１０２や、複数の装飾ランプ１０３，１０４，１０５などが設けられており、それらを動作させるための複数本のハーネス１０６が下側に延び出ている。この点、複数本のハーネス１０６（以下、単に「ハーネス１０６」という）は、それらの各先端が接続コネクタ１０７に固定されており、さらに、付図示の結束バンドや人手などにより、図９に示すように、一つにまとめられている。
【００２４】
一方、図１０や図１１に示すように、遊技盤１１１においては、表面１１２から裏面１１４にかけて貫通した開口部１１３が設けられている。そして、パチンコ機の組立ラインにおいては、先ず、遊技盤１１１の表面１１２を上にした状態で遊技盤１１１を置き、図９の特別図柄表示装置１０１のハーネス１０６を遊技盤１１１の開口部１１３に通した状態にしながら、図９の特別図柄表示装置１０１を遊技盤１１１の開口部１１３にねじ止めで組み付けている。
【００２５】
従って、図２や図３に示すように、特別図柄表示装置１０１が遊技盤１１１の開口部１１３に組み付けられた際には、特別図柄表示装置１０１のハーネス１０６は、遊技盤１１１の裏面１１４の側に位置する。このとき、図３に示すように、特別図柄表示装置１０１のハーネス１０６は、特別図柄表示装置１０１に設けられたカバー部材１０８の下から外部に延び出している。
【００２６】
この点、本実施の形態のパチンコ機では、図１に示すように、特別図柄表示装置１０１のカバー部材１０８にリブ部材１１を設けている。そして、ここでは、説明の便宜上、遊技盤１１１の表面１１２を上にした状態では、図１の実線の矢印で示すように、このリブ部材１１に特別図柄表示装置１０１のハーネス１０６が当接しないものとする。
【００２７】
次に、特別図柄表示装置１０１が組み付けられた遊技盤１１１に対して、特別図柄表示装置１０１以外の部品をも組み付けるために、特別図柄表示装置１０１が組み付けられた遊技盤１１１を、遊技盤１１１の表面１１２を上にした状態から下の状態にする。このとき、図４〜図６に示すように、カバー部材１０８に最も近い遊技盤１１１の端面１１５を下にしながら遊技盤１１１を裏返しても、特別図柄表示装置１０１のハーネス１０６が遊技盤１１１からはみ出ることはない。
【００２８】
なぜなら、図１の点線に示すように、特別図柄表示装置１０１のハーネス１０６は、自らの重みで、特別図柄表示装置１０１のカバー部材１０８のリブ部材１１の支点Ｐに対し、遊技盤１１１の中心側から当接することになるが、この点、特別図柄表示装置１０１のハーネス１０６は、真っ直ぐで曲がりにくい性質を有しており、しかも、上述したように、付図示の結束バンドや人手などにより一つにまとめられていることから、図５に示すように、支点Ｐに当接することによって、移動範囲が制限され、重力方向にまで垂れ下がることがないからである。すなわち、これらを予め求め、遊技盤１１１が反転する際は、特別図柄表示装置１０１のハーネス１０６が、図６に示すように、遊技盤１１１の裏面１１４に対する垂直空間Ｅ内を移動するように、特別図柄表示装置１０１のカバー部材１０８の所定位置にリブ部材１１を設けている。
【００２９】
ここで、遊技盤１１１の裏面１１４に対する垂直空間Ｅとは、遊技盤１１１の裏面１１４を区画する４つの端辺上を垂線が周回することにより形成される空間をいう。
【００３０】
このように、特別図柄表示装置１０１のハーネス１０６は、遊技盤１１１からはみ出すことがないので、遊技盤１１１と組立ラインの機械の間などに挟まって、傷つくことはない。
【００３１】
以上詳細に説明したように、本実施の形態のパチンコ機では、図６に示すように、開口部１１３に特別図柄表示装置１０１が組み付けられた遊技盤１１１を反転させると、遊技盤１１１の裏面１１４の側において、特別図柄表示装置１０１から外側に延出したハーネス１０６が、図１の点線の矢印で示すように、特別図柄表示装置１０１のカバー部材１０８に設けられたリブ部材１１に当接するので、ハーネス１０６の移動が制限される。このとき、ハーネス１０６が真っ直ぐで曲がりにくい性質を利用して、その移動範囲を、図６に示すように、遊技盤１１１の裏面１１４に対する垂直空間Ｅ内におさめている。
【００３２】
すなわち、本実施の形態のパチンコ機では、開口部１１３に特別図柄表示装置１０１が組み付けられた遊技盤１１１を反転させても、遊技盤１１１の裏面１１４の側において、特別図柄表示装置１０１から外側に延出したハーネス１０６が、特別図柄表示装置１０１のカバー部材１０８に設けられたリブ部材１１に当接することによって、その移動範囲が遊技盤１１１の裏面１１４に対する垂直空間Ｅ内におさめられ、遊技盤１１１からハーネス１０６がはみ出ることはないので、遊技盤１１１に組み付けられた特別図柄表示装置１０１のハーネス１０６が組付ラインで損傷することを防止することができる。
【００３３】
尚、本発明は上記実施の形態に限定されるものでなく、その趣旨を逸脱しない範囲で様々な変更が可能である。
例えば、本実施の形態のパチンコ機では、説明の便宜上、遊技盤１１１の表面１１２を上にした状態では、図１の実線の矢印で示すように、このリブ部材１１に特別図柄表示装置１０１のハーネス１０６が当接することはないとしていた。しかしながら、遊技盤１１１の表面１１２を上にした状態において、図１の点線の矢印で示すように、既に、このリブ部材１１に特別図柄表示装置１０１のハーネス１０６が当接していても、上述した作用・効果を得ることは可能である。
【００３４】
また、本実施の形態のパチンコ機では、遊技盤１１１が反転する際は、特別図柄表示装置１０１のハーネス１０６が、図６に示すように、遊技盤１１１の裏面１１４に対する垂直空間Ｅ内を移動する。この点、遊技盤１１１に組み付けられた特別図柄表示装置１０１のハーネス１０６が組付ラインで損傷することを防止することができるのであれば、特別図柄表示装置１０１のハーネス１０６が、遊技盤１１１の裏面１１４に対する垂直空間Ｅから多少はみ出てもかまわない。
【００３５】
また、本実施の形態のパチンコ機では、図１に示すように、「支点部材」として、特別図柄表示装置１０１のカバー部材１０８にリブ部材１１を設けている。この点、リブ部材１１に代えて、図７に示すように、特別図柄表示装置１０１のカバー部材１０８にボス部材１２を設けても、同様の作用・効果を得ることができる。
【００３６】
また、図８に示すように、特別図柄表示装置１０１のカバー部材１０８に切り欠け部１０９を設け、この切り欠け部１０９にハーネス１０６を引っかけても、同様の作用・効果を得ることができる。  但し、この切り欠け部１０９については、ハーネス１０６の一端に固定された接続コネクタが通過できる程度の大きさを確保するようにすれば、ハーネス１０６よりカバー部材１０８が先付けされた際でも、カバー部材１０８の下にある基板に当該コネクタを取り付けることを確保できる。
尚、「支点部材」としての、リブ部材１１や、ボス部材１２、切り欠け部１０９は、遊技盤１１１の裏面１１４に対する垂直空間Ｅからハーネス１０６がはみ出ないことを確保されていれば、ハーネス１０６を延出させたい方向に設けると便宜である。
【００３７】
また、本実施の形態のパチンコ機では、遊技盤１１１に組み付けられた特別図柄表示装置１０１から延出するハーネス１０６について説明しているが、この点、遊技盤１１１に組み付けられる可変入賞球装置や装飾ランプ等のその他の部品のハーネスについても、同様である。
【産業上の利用可能性】
【００３８】
本発明は、パチンコ機において、ハーネスが外側に延出する部品を遊技盤に組み付ける際に適用しうる。
【図面の簡単な説明】
【００３９】
【図１】本発明の一実施形態によるパチンコ機において、特別図柄表示装置のカバー部材に設けられたリブ部材付近の斜視図である。
【図２】本発明の一実施形態によるパチンコ機において、特別図柄表示装置が遊技盤の開口部に組み付けられた際の遊技盤の正面図である。
【図３】本発明の一実施形態によるパチンコ機において、特別図柄表示装置が遊技盤の開口部に組み付けられた際の遊技盤の裏面図である。
【図４】本発明の一実施形態によるパチンコ機において、特別図柄表示装置が組み付けられた遊技盤を、特別図柄表示装置のカバー部材に最も近い遊技盤の端面を下にしながら裏返した際に、特別図柄表示装置のハーネスが遊技盤からはみ出ない様子を説明するための図であり、遊技盤の表面の側から見た図である。
【図５】本発明の一実施形態によるパチンコ機において、特別図柄表示装置が組み付けられた遊技盤を、特別図柄表示装置のカバー部材に最も近い遊技盤の端面を下にしながら裏返した際に、特別図柄表示装置のハーネスが遊技盤からはみ出ない様子を説明するための図であり、遊技盤の裏面の側から見た図である。
【図６】従来技術において、特別図柄表示装置が組み付けられた遊技盤を、特別図柄表示装置のカバー部材に最も近い遊技盤の端面を下にしながら裏返した際に、特別図柄表示装置のハーネスが遊技盤からはみ出ない様子を説明するための工程図である。
【図７】本発明の一実施形態によるパチンコ機において、特別図柄表示装置のカバー部材に設けられたボス部材付近の斜視図である。
【図８】本発明の一実施形態によるパチンコ機において、特別図柄表示装置のカバー部材に設けられた切り欠け部付近の斜視図である。
【図９】特別図柄表示装置の正面図である。
【図１０】遊技盤の正面図である。
【図１１】遊技盤の裏面図である。
【図１２】従来技術において、特別図柄表示装置が遊技盤の開口部に組み付けられた際の遊技盤の正面図である。
【図１３】従来技術において、特別図柄表示装置が遊技盤の開口部に組み付けられた際の遊技盤の裏面図である。
【図１４】従来技術において、特別図柄表示装置が組み付けられた遊技盤を、特別図柄表示装置のカバー部材に最も近い遊技盤の端面を下にしながら裏返した際に、特別図柄表示装置のハーネスが遊技盤からはみ出る様子を説明するための図であり、遊技盤の表面の側から見た図である。
【図１５】従来技術において、特別図柄表示装置が組み付けられた遊技盤を、特別図柄表示装置のカバー部材に最も近い遊技盤の端面を下にしながら裏返した際に、特別図柄表示装置のハーネスが遊技盤からはみ出る様子を説明するための図であり、遊技盤の裏面の側から見た図である。
【図１６】従来技術において、特別図柄表示装置が組み付けられた遊技盤を、特別図柄表示装置のカバー部材に最も近い遊技盤の端面を下にしながら裏返した際に、特別図柄表示装置のハーネスが遊技盤からはみ出る様子を説明するための工程図である。
【符号の説明】
【００４０】
１１    リブ部材
１２    ボス部材
１０１  特別図柄表示装置
１０６  ハーネス
１０７  接続コネクタ
１０８  カバー部材
１０９  切り欠け部
１１１  遊技盤
１１２  遊技盤の表面
１１３  遊技盤の開口部
１１４  遊技盤の裏面
１１５  遊技盤の裏面
Ｅ      遊技盤の裏面に対する垂直空間
Ｐ      支点
【図１】
2005152425.tif 000003
【図２】
2005152425.tif 000004
【図３】
2005152425.tif 000005
【図４】
2005152425.tif 000006
【図５】
2005152425.tif 000007
【図６】
2005152425.tif 000008
【図７】
2005152425.tif 000009
【図８】
2005152425.tif 000010
【図９】
2005152425.tif 000011
【図１０】
2005152425.tif 000012
【図１１】
2005152425.tif 000013
【図１２】
2005152425.tif 000014
【図１３】
2005152425.tif 000015
【図１４】
2005152425.tif 000016
【図１５】
2005152425.tif 000017
【図１６】
2005152425.tif 000018